(57)【要約】【課題】容易な構造で、電気光学装置から発生する熱を効率良く冷却するプロジェクターを提供する。【解決手段】光源から射出される光束を、画像情報に応じて変調して光学像を形成し、形成された前記光学像を投射するプロジェクターであって、前記画像情報を出力する回路基板と、前記画像情報に基づいて前記光学像を形成する電気光学装置と、前記回路基板から前記電気光学装置に前記画像情報を伝達し、一方の端部が、前記回路基板に設けられた開口部を介して前記回路基板に電気的に接続され、他方の端部が、前記電気光学装置に電気的に接続された可撓性基板と、前記開口部を介して前記電気光学装置に向けて空気を送風する送風手段と、を備えた。【選択図】図３
2010139601.tif 000002
【特許請求の範囲】
【請求項１】
光源から射出される光束を、画像情報に応じて変調して光学像を形成し、形成された前
記光学像を投射するプロジェクターであって、
前記画像情報を出力する回路基板と、
前記画像情報に基づいて前記光学像を形成する電気光学装置と、
前記回路基板から前記電気光学装置に前記画像情報を伝達し、一方の端部が、前記回路
基板に設けられた開口部を介して前記回路基板に電気的に接続され、他方の端部が、前記
電気光学装置に電気的に接続された可撓性基板と、
前記開口部を介して前記電気光学装置に向けて空気を送風する送風手段と、を備えたこ
とを特徴とするプロジェクター。
【請求項２】
請求項１に記載のプロジェクターにおいて、
前記開口部は、平面視において前記電気光学装置の大きさに対応する大きさに設けられ
たことを特徴とするプロジェクター。
【請求項３】
請求項１または２に記載のプロジェクターにおいて、
前記電気光学装置と、偏光板と、プリズムブロックを有する光学装置を備え、
前記回路基板に設けられた前記開口部は、平面視において前記光学装置が配置された領
域に対応する大きさに設けられたことを特徴とするプロジェクター。
【請求項４】
請求項１〜３のいずれか一項に記載のプロジェクターにおいて、
前記可撓性基板は、前記開口部の端辺部に設けられた接続部に電気的に接続されたこと
を特徴とするプロジェクター。
【請求項５】
請求項４に記載のプロジェクターにおいて、
前記可撓性基板は、前記接続部から前記電気光学装置に向けて斜面を形成するように電
気的に接続されたことを特徴とするプロジェクター。
【請求項６】
請求項１〜５のいずれか一項に記載のプロジェクターにおいて、
前記送風手段から送風される空気が、前記電気光学装置に向けて重力方向に送風される
ことを特徴とするプロジェクター。
【請求項７】
請求項６に記載のプロジェクターにおいて、
前記電気光学装置の重量方向の下部にフィルターを設けたことを特徴とするプロジェク
ター。
【請求項８】
請求項６または７に記載のプロジェクターにおいて、
前記送風手段と前記回路基板の前記開口部との間にフィルターを設けたことを特徴とす
るプロジェクター。
【発明の詳細な説明】
【技術分野】
【０００１】
本発明は、光源から射出される光束を、画像情報に応じて変調して光学像を形成し、形
成された光学像を投射するプロジェクターに関する。
【背景技術】
【０００２】
近年、より大きな画像を表示する要求が高まる中、プロジェクターの普及が加速してい
る。当該プロジェクターには、光を変調して光学像を形成する電気光学装置が搭載されて
いる。この場合、電気光学装置は、自身の駆動等に伴って発熱するため、これを排熱する
必要がある。そこで、電気光学装置を枠部で覆ってダクトを形成し、当該ダクトに向けて
送風して、ダクトに導入される空気の流れを利用して排熱している（例えば、特許文献１
参照）。
【０００３】
【特許文献１】特開２００６−１９５３６８号公報
【発明の開示】
【発明が解決しようとする課題】
【０００４】
しかしながら、上記のプロジェクターでは、電気光学装置毎にダクトを形成する必要が
あるため、装置構成が複雑化してしまう、という課題があった。
【課題を解決するための手段】
【０００５】
本発明は、上記課題の少なくとも一部を解決するためになされたものであり、以下の形
態又は適用例として実現することが可能である。
【０００６】
［適用例１］本適用例にかかるプロジェクターは、光源から射出される光束を、画像情
報に応じて変調して光学像を形成し、形成された前記光学像を投射するプロジェクターで
あって、前記画像情報を出力する回路基板と、前記画像情報に基づいて前記光学像を形成
する電気光学装置と、前記回路基板から前記電気光学装置に前記画像情報を伝達し、一方
の端部が、前記回路基板に設けられた開口部を介して前記回路基板に電気的に接続され、
他方の端部が、前記電気光学装置に電気的に接続された可撓性基板と、前記開口部を介し
て前記電気光学装置に向けて空気を送風する送風手段と、を備えたことを特徴とする。
【０００７】
この構成によれば、送風手段から送風された空気は、回路基板の開口部を通じて電気光
学装置側に導入される。ここで、回路基板と電気光学装置とがケーブルで接続されている
ので、送風された空気は、ケーブルに沿って電気光学装置に導入される。従って、容易な
構造で、電気光学装置から発生する熱を効率良く冷却することができる。
【０００８】
［適用例２］上記適用例にかかるプロジェクターの前記開口部は、平面視において前記
電気光学装置の大きさに対応する大きさに設けられたことを特徴とする。
【０００９】
この構成によれば、電気光学装置全体を効率良く冷却することができる。
【００１０】
［適用例３］上記適用例にかかるプロジェクターは、前記電気光学装置と、偏光板と、
プリズムブロックを有する光学装置を備え、前記回路基板に設けられた前記開口部は、平
面視において前記光学装置が配置された領域に対応する大きさに設けられたことを特徴と
する。
【００１１】
この構成によれば、電気光学ユニット全体を効率良く冷却することができる。
【００１２】
［適用例４］上記適用例にかかるプロジェクターの前記可撓性基板は、前記開口部の端
辺部に設けられた接続部に電気的に接続されたことを特徴とする。
【００１３】
この構成によれば、空気の流れを阻害すること無く、効率良く送風を導入することがで
きる。
【００１４】
［適用例５］上記適用例にかかるプロジェクターの前記可撓性基板は、前記接続部から
前記電気光学装置に向けて斜面を形成するように電気的に接続されたことを特徴とする。
【００１５】
この構成によれば、送風された空気は、斜面が形成されたケーブルに沿って電気光学装
置側に導入されるので、効率良く電気光学装置から発生する熱を冷却することができる。
【００１６】
［適用例６］上記適用例にかかるプロジェクターでは、前記送風手段から送風される空
気が、前記電気光学装置に向けて重力方向に送風されることを特徴とする。
【００１７】
この構成によれば、空気が、重力方向に送風される構造（ダウンフロー構造）とするこ
とにより、送風の効率を向上させるとともに、電気光学装置等への塵やほこり等の付着を
防止することができる。
【００１８】
［適用例７］上記適用例にかかるプロジェクターは、前記電気光学装置の重量方向の下
部にフィルターを設けたことを特徴とする。
【００１９】
この構成によれば、送風手段から送風される空気中に含まれる塵や埃等を電気光学装置
の下部に設けられたフィルターによって捕獲することができる。また、送風圧により、塵
や埃等がフィルターで維持されるため、塵や埃等の舞い上がりを防止することができる。
【００２０】
［適用例８］上記適用例にかかるプロジェクターは、前記送風手段と前記回路基板の前
記開口部との間にフィルターを設けたことを特徴とする。
【００２１】
この構成によれば、送風手段から送風される空気中に含まれる塵や埃等がフィルターに
よって捕獲されるので、きれいな空気のみを電気光学装置側に送風することができる。
【発明を実施するための最良の形態】
【００２２】
以下、本発明を具体化した実施形態について図面に従って説明する。なお、各図面にお
ける各部材は、各図面上で認識可能な程度の大きさとするため、各部材ごとに縮小を異な
らせて図示している。
【００２３】
（プロジェクターの構成）
まず、本実施形態にかかるプロジェクターの構成について説明する。
【００２４】
図１は、本実施形態にかかるプロジェクターの上面側から見た斜視図である。図２は、
プロジェクターの下面側から見た斜視図である。
【００２５】
プロジェクター１は、光源としての光源ランプから射出された光束を赤（Ｒ）、緑（Ｇ
）、青（Ｂ）の三原色に分離し、これらの各色光束を電気光学装置としての液晶パネルを
通して画像情報に対応させて変調し、変調した後の各色光の変調光束を色合成光学系（プ
リズム）により合成して、投射レンズ３を介して投射面上（例えばスクリーン）に拡大表
示する形式のものである。投射レンズ３の一部を除いて、各構成部品はプロジェクター１
の外装を構成する外装ケース２の内部に収容されている。
【００２６】
図１、図２を参照して、外装ケース２の構造を説明する。外装ケース２は、プロジェク
ター１の上面を覆う上ケース２１と、前面を覆う前面ケース２２と、底面、側面および背
面を覆う下ケース２３とから構成される。外装ケース２は、合成樹脂製である。
【００２７】
図１に示すように、上ケース２１の上面であって、投射レンズ３と逆側には、プロジェ
クター１の画質などを調整するための操作パネル２１１が設けられている。また、上ケー
ス２１の上面の前方側（投射レンズ３側）には、投射レンズ３を中心として左右の部位に
、投射レンズ３の左右位置および上下位置を調整する投射レンズ位置調整部３０を構成す
る２つのダイヤル３１，３２が露出して設置されている。そして、一方のダイヤル３１を
回動することにより、投射レンズ３を上下に移動させることができる。また、他方のダイ
ヤル３２を回動することにより、投射レンズ３を左右に移動させることができる。
【００２８】
そして、上ケース２１の上面であって、投射レンズ位置調整部３０の後方側で、操作パ
ネル２１１との間には、プロジェクター１の内部を冷却するための冷却風となる空気をプ
ロジェクター１の外部から取り入れるための空気取入口４０が設けられている。空気取入
口４０のプロジェクター１の内部側には第１フィルター４１が設けられている。そして、
空気取入口４０には、樹脂製のフィルター交換用蓋４２が設けられており、このフィルタ
ー交換用蓋４２を着脱することで、第１フィルター４１を交換することが可能となる。
【００２９】
前面ケース２２には、変調された光束を拡大投射する投射レンズ３が前面ケース２２に
向かって右側に取付けられている。さらに、前面ケース２２の中央には、リモートコント
ローラ（図示省略）からの信号を受信するリモコン受光部２２１が設けられている。
【００３０】
図２に示すように、下ケース２３の底面には、プロジェクター１の内部の温まった空気
をプロジェクター１の外部に排気するための空気排気口７４が設けられている。空気排気
口７４のプロジェクター１の内部側には第２フィルター７５が設けられている。そして、
空気排気口７４には、樹脂製のフィルター交換用蓋７６が設けられており、このフィルタ
ー交換用蓋７６を着脱することで、第２フィルター７５を交換することが可能となる。ま
た、下ケース２３の底面には、光源装置の交換時に開放される光源装置交換用蓋２３３が
設けられている。光源装置交換用蓋２３３を着脱することで、プロジェクタ１の内部の光
源装置（図示省略）を交換することが可能となる。
【００３１】
さらに、下ケース２３の底面には、３ヶ所の脚部２３４が設けられ、前方側端部となる
左右の角部に調整脚部２３４Ｒ，２３４Ｌが設けられ、後方側端部の略中央部に固定脚部
２３４Ｃが設けられている。なお、調整脚部２３４Ｒ，２３４Ｌの上下の進退量を調整す
ることによって、表示画面の傾きを変更することが可能となる。
【００３２】
下ケース２３の背面には、外部電力供給用のＡＣインレット２４や各種の入出力端子群
２５が配置されている。ＡＣインレット２４の横には、主電源のＯＮ／ＯＦＦ動作を行な
う主電源スイッチ２６が配置されている。そして、この下ケース２３の背面にも、前面ケ
ース２２と同様にリモコン受光部２２１が設けられている。
【００３３】
図３，４は、プロジェクターの構成を示し、図３は、要部断面図であり、図４は、平面
図である。
【００３４】
図３に示すように、プロジェクター１は、画像情報を出力する回路基板９０と、光学装
置１００と、回路基板９０と光学装置１００を構成する液晶パネル５４１とを電気的に接
続するための可撓性基板であるケーブル６０と、光学装置１００等に空気を送風する送風
手段としてのファン７１等を備えている。
【００３５】
回路基板９０は、ＣＰＵ（Central Processing Unit）等の演算処理装置が実装されて
おり、プロジェクター１全体を制御する。そして、回路基板９０は、インターフェースを
介して入力された信号に基づいて、ケーブル６０を介して、光学装置１００を構成する電
気光学装置としての液晶パネル５４１に伝達して、駆動制御する。ファン７１は、光学装
置１００から発生する熱を冷却するために空気を送風するものである。以下、具体的な構
成について説明する。
【００３６】
回路基板９０には、基板の厚み方向に貫通した開口部９１が設けられている。本実施形
態では、図４に示すように、平面視において、光学装置１００が配置された領域に対応す
る大きさの開口部９１が設けられている。具体的には、開口部９１は、平面視において、
光学装置１００が直視可能な大きさを有している。
【００３７】
回路基板９０の開口部９１の端辺部には、接続部としてのコネクタ９５が設けられてお
り、ケーブル６０の一方の端部は、開口部９１を通してコネクタ９５に電気的に接続され
、ケーブル６０の他方の端部は、液晶パネル５４１に電気的に接続されている。
【００３８】
光学装置１００は、液晶パネル５４１と、射出側偏光板５４３と、クロスダイクロイッ
クプリズム５４５とで構成されている。具体的には、電気光学装置としての３つの液晶パ
ネル５４１（赤色光用のＲ光用液晶パネル５４１Ｒ，緑色光用のＧ光用液晶パネル５４１
Ｇ，青色光用のＢ光用液晶パネル５４１Ｂ）と、各液晶パネル５４１の後段に設置される
３つの射出側偏光板５４３（赤色光用のＲ光用射出側偏光板５４３Ｒ，緑色光用のＧ光用
射出側偏光板５４３Ｇ，青色光用のＢ光用射出側偏光板５４３Ｂ）と、色合成光学系を構
成する１つのクロスダイクロイックプリズム５４５とで構成されている。そして、光学装
置１００は、光学素子用筐体５５（５５Ａ，５５Ｂ）の内部に収納されている。
【００３９】
光学装置１００を構成するクロスダイクロイックプリズム５４５は、光学素子用筐体５
５を構成する下収容枠体５５Ｂに設けられた凸状のプリズム固定部１３１の頂部に固定さ
れている。そして、クロスダイクロイックプリズム５４５の３方の側面部に液晶パネル固
定枠１２０を設け、当該液晶パネル固定枠１２０を基準に、液晶パネル収容枠１１０に収
容された液晶パネル５４１（５４１Ｒ，５４１Ｇ，５４１Ｂ）が各々所定の位置に調整さ
れて固定されている。なお、液晶パネル固定枠１２０には、射出側偏光板５４３も固定さ
れる。液晶パネル固定枠１２０は、熱伝導率の低いプラスチック部材で形成されており、
液晶パネル５４１で発生する熱が液晶パネル固定枠１２０を介してクロスダイクロイック
プリズム５４５に伝熱することを抑制している。
【００４０】
液晶パネル５４１（５４１Ｒ，５４１Ｇ，５４１Ｂ）は、例えば、ポリシリコンＴＦＴ
（Thin Film Transistor）をスイッチング素子として用いたものであり、対向配置される
一対の透明基板内に液晶が密封封入されている。
【００４１】
ファン７１は、プロジェクター１の内部に設けられている。本実施形態では、ファン７
１は、空気取入口４０が設けられた位置に対応した位置に設けられている。そして、ファ
ン７１は、回路基板９０と電気的に接続され、回路基板９０から出力される制御信号に基
づいて駆動するようになっている。
【００４２】
また、ファン７１は、光学装置１００が配置された位置に対して、ほぼ真上となる位置
に配置されている。このため、プロジェクター１の外部から取り入れた空気は、第１フィ
ルター４１を介し、ファン７１の旋回により、光学装置１００に向けて、ほぼ重力方向に
送風される。
【００４３】
また、クロスダイクロイックプリズム５４５と固定されている下収容枠体５５Ｂのプリ
ズム固定部１３１には、図４に示すように、平面視において、クロスダイクロイックプリ
ズム５４５を囲むように貫通穴５５Ｃが設けられている。この貫通穴５５Ｃは、ファン７
１によって送風された空気の流路として適用される。
【００４４】
さらに、下ケース２３であって、光学装置１００のほぼ直下に対応する位置には、空気
排気口７４が設けられている。このため、ファン７１によって送風された空気は、第２フ
ィルター７５を介して空気排気口７４からプロジェクター１の外部に排気される構成とな
っている。
【００４５】
（プロジェクターの光学系）
ここで、プロジェクター１の光学系の構成と動作について説明する。図５は、プロジェ
クターの光学系の構成を示す構成図である。
【００４６】
インテグレータ照明光学系５１は、光源から射出された光束を照明光軸Ｌに直交する面
内における輝度分布を均一にするための光学系である。このインテグレータ照明光学系５
１は、光源装置５１１、第１レンズアレイ５１２、第２レンズアレイ５１３、偏光変換素
子５１４、および重畳レンズ５１５を備えて構成される。
【００４７】
光源装置５１１は、放射光源としての光源ランプ５１１Ａ、リフレクタ５１１Ｂ、リフ
レクタ５１１Ｂの光束射出面を覆う防爆ガラス５１１Ｃ、および、光源ランプ５１１Ａと
リフレクタ５１１Ｂと防爆ガラス５１１Ｃとを収容して固定する光源用筐体５１１Ｄを備
えて構成されている。そして、光源ランプ５１１Ａから射出された放射状の光束は、リフ
レクタ５１１Ｂで反射されて略平行光束とされ、外部へと射出される。本実施形態では、
光源ランプ５１１Ａとして、高圧水銀ランプを採用し、リフレクタ５１１Ｂとして、放物
面鏡を採用している。なお、光源ランプ５１１Ａとしては、高圧水銀ランプに限らず、例
えばメタルハライドランプやハロゲンランプ等を採用してもよい。また、リフレクタ５１
１Ｂとして放物面鏡を採用しているが、これに限らず、楕円面鏡からなるリフレクタの射
出面に平行化凹レンズを配置した構成を採用してもよい。
【００４８】
第１レンズアレイ５１２は、照明光軸Ｌ方向から見て略矩形状の輪郭を有する小レンズ
がマトリクス状に配列された構成を有している。各小レンズは、光源ランプ５１１Ａから
射出された光束を部分光束に分割し、照明光軸方向に射出する。第２レンズアレイ５１３
は、第１レンズアレイ５１２と略同様の構成であり、小レンズがマトリクス状に配列され
た構成を有する。この第２レンズアレイ５１３は、重畳レンズ５１５とともに、第１レン
ズアレイ５１２の各小レンズの像を光学装置１００を構成する液晶パネル５４１上に結像
させる機能を有する。
【００４９】
偏光変換素子５１４は、第２レンズアレイ５１３からの光を略１種類の偏光光に変換す
るものであり、これにより、光学装置１００での光の利用効率が高められている。偏光変
換素子５１４によって略１種類の偏光光に変換された各部分光束は、重畳レンズ５１５に
よって最終的に液晶パネル５４１上に略重畳される。
【００５０】
色分離光学系５２は、２枚のダイクロイックミラー５２１，５２２と、反射ミラー５２
３とを備える。インテグレータ照明光学系５１から射出された複数の部分光束は、２枚の
ダイクロイックミラー５２１，５２２により赤（Ｒ）、緑（Ｇ）、青（Ｂ）の３色の色光
に分離される。
【００５１】
リレー光学系５３は、入射側レンズ５３１と、リレーレンズ５３３と、反射ミラー５３
２，５３５とを備えている。このリレー光学系５３は、色分離光学系５２で分離された色
光である青色光を青色光用の液晶パネル５４１まで導く機能を有している。
【００５２】
この際、色分離光学系５２のダイクロイックミラー５２１では、インテグレータ照明光
学系５１から射出された光束のうち、緑色光成分と青色光成分とは透過し、赤色光成分は
反射する。ダイクロイックミラー５２１によって反射した赤色光は、反射ミラー５２３で
反射し、平行化レンズ５１９を通って、赤色光用のＲ光用液晶パネル５４１Ｒに到達する
。この平行化レンズ５１９は、第２レンズアレイ５１３から射出された各部分光束を照明
光軸Ｌに対して平行な光束に変換する。青色光および緑色光用の液晶パネル５４１の光入
射側に設けられた平行化レンズ５１９も同様である。
【００５３】
ダイクロイックミラー５２１を透過した青色光と緑色光のうち、緑色光は、ダイクロイ
ックミラー５２２によって反射し、平行化レンズ５１９を通って、緑色光用のＧ光用液晶
パネル５４１Ｇに到達する。一方、青色光は、ダイクロイックミラー５２２を透過してリ
レー光学系５３を通り、さらに平行化レンズ５１９を通って、青色光用のＢ光用液晶パネ
ル５４１Ｂに到達する。なお、青色光にリレー光学系５３が用いられているのは、青色光
の光路の長さが他の色光の光路長さよりも長いため、光の発散等による光の利用効率の低
下を防止するためである。すなわち、入射側レンズ５３１に入射した部分光束をそのまま
、平行化レンズ５１９に伝えるためである。なお、リレー光学系５３には、３つの色光の
中で、青色光を通す構成としたが、これに限らず、例えば、赤色光を通す構成としてもよ
い。
【００５４】
平行化レンズ５１９と液晶パネル５４１との間には、色分離光学系５２で分離された各
色光が入射される光学素子としての３つの入射側偏光板５４２（赤色光用のＲ光用入射側
偏光板５４２Ｒ，緑色光用のＧ光用入射側偏光板５４２Ｇ，青色光用のＢ光用入射側偏光
板５４２Ｂ）を備え、色分離光学系５２で分離された各色光のうち、一定方向の偏光光の
み透過させ、その他の光束を吸収する。なお、３つの入射側偏光板５４２Ｒ，５４２Ｇ，
５４２Ｂは、光学素子用筐体５５に収容され固定されている。
【００５５】
そして、液晶パネル５４１は、入射側偏光板５４２を介して入射する光束を画像情報に
応じて変調して射出する。
【００５６】
射出側偏光板５４３は、液晶パネル５４１から射出された光束のうち、所定方向の偏光
光のみ透過させ、その他の光束を吸収する。また、射出側偏光板５４３が透過させる偏光
光の偏光軸は、入射側偏光板５４２で透過させる偏光光の偏光軸に対して直交するように
設定されている。
【００５７】
色合成光学素子としてのクロスダイクロイックプリズム５４５は、射出側偏光板５４３
から射出される色光毎に変調された光学像を合成してカラー画像を形成するものである。
このクロスダイクロイックプリズム５４５には、赤色光を反射する誘電体多層膜と青色光
を反射する誘電体多層膜とが、４つの直角プリズムの界面に沿って略Ｘ字状に設けられ、
これらの誘電体多層膜により３つの色光が合成される。クロスダイクロイックプリズム５
４５によって合成された色光は、投射レンズ３の方向に射出される。そして、クロスダイ
クロイックプリズム５４５から射出された映像光はカラー画像として、投射レンズ３によ
り拡大され、スクリーンに投射される。
【００５８】
（プロジェクターの冷却動作）
次に、本実施形態にかかるプロジェクターの冷却動作について、図３，４を参照しなが
ら説明する。
【００５９】
まず、ファン７１を駆動させ、プロジェクター１の外部の空気をプロジェクター１の内
部に導入する。プロジェクター１の外部の空気は、空気取入口４０から第１フィルター４
１を介してプロジェクター１の内部に導入される。この際、空気中に含まれる塵芥は、第
１フィルター４１によって捕獲され、プロジェクター１の内部には、塵芥が除去された空
気が導入される。
【００６０】
そして、プロジェクター１の内部に導入された空気は、重力方向に回路基板９０に設け
られた開口部９１を介して光学装置１００側に送風される。この際、開口部９１から液晶
パネル５４１の間にはケーブル６０が配置されているため、送風された空気は、ケーブル
６０の表面に沿って光学装置１００側に導入される。
【００６１】
そして、光学装置１００に送風された空気が接触し、液晶パネル５４１や偏光板５３４
やクロスダイクロイックプリズム５４５等が冷却される。
【００６２】
さらに、送風された空気は、下収容枠体５５Ｂに設けられた貫通穴５５Ｃを介して空気
排気口７４へと流れる。
【００６３】
そして、空気排気口７４に設けられた第２フィルター７５を介して、プロジェクター１
の外部に排気される。この際、第２フィルター７５によって、塵芥が捕獲される。捕獲さ
れた塵芥は、送風による風圧によって、第２フィルター７５部分で押さえられる。
【００６４】
従って、上記の実施形態によれば、以下に示す効果がある。
【００６５】
（１）ファン７１の駆動により、プロジェクター１の外部から空気を導入し、液晶パネ
ル５４１側に向けて送風する。ファン７１と液晶パネル５４１との間には、開口部９１が
設けられた回路基板９０が配置され、送風された空気は開口部９１を通って液晶パネル５
４１側に流れる。さらに、回路基板９０の開口部９１の端部に設けられたコネクタ９５と
液晶パネル５４１は、ケーブル６０によって接続されている。このため、開口部９１を通
った空気は、当該ケーブル６０の表面を沿って液晶パネル５４１側に流れる。従って、送
風された空気は、ケーブル６０によって送風される空気の流路が規制されるので、効率良
く液晶パネル５４１を冷却することができる。
【００６６】
（２）回路基板９０に設けられた開口部９１は、平面視において、光学装置１００が配
置される領域に対応する大きさを有している。従って、送風された空気は、光学装置１０
０の全体に行き渡るので、光学装置１００全体（液晶パネル５４１，射出側偏光板５４３
，クロスダイクロイックプリズム５４５）を冷却することができる。
【００６７】
（３）光学装置１００の冷却によって温まった空気は、下収容枠体５５Ｂに設けられた
貫通穴５５Ｃを介して、第２フィルター７５を通って空気排気口７４から排気される。従
って、プロジェクター１の内部において、温まった空気の逆流を防止することができる。
また、プロジェクター１の内部の送風された空気に含まれる塵芥が第２フィルター７５に
よって捕獲されるとともに、ファン７１による送風による風圧によって塵芥が押さえつけ
られるので、塵芥の舞い上がり等を防止することができる。
【００６８】
なお、上記の実施形態に限定されるものではなく、以下のような変形例が挙げられる。
【００６９】
（変形例１）上記実施形態では、空気取入口４０に第１フィルター４１を設けたが、こ
れに限定されない。例えば、ファン７１と光学装置１００との間にフィルターを設けても
よい。このようにしても、フィルターによって塵芥が捕獲されるので、液晶パネル５４１
等への塵芥の付着を防止することができる。
【００７０】
（変形例２）上記実施形態では、空気取入口４０に第１フィルター４１を設けたが、第
１フィルター４１を省略してもよい。このようにしても、空気中に含まれる塵芥は第２フ
ィルター７５で捕獲され、ファン７１の風圧によって塵芥の舞い上がりが抑制されるので
、液晶パネル５４１等への塵芥の付着を防止することができる。
【００７１】
（変形例３）上記実施形態では、回路基板９０に設けられた開口部９１は、平面視にお
いて、光学装置１００が配置される領域に対応する大きさとしたが、これに限定されない
。例えば、ケーブル６０とコネクタ９５を接続可能な程度の開口であってもよい。このよ
うにしても、送風された空気は、ケーブル６０に沿って流れていくので、液晶パネル５４
１を冷却することができる。また、この場合において、回路基板９０における実装面積を
有効活用することができる。
【００７２】
（変形例４）上記実施形態では、ケーブル６０を回路基板９０の面に対して略垂直とな
るように液晶パネル５４１とコネクタ９５とを接続したが、これに限定されない。例えば
、ケーブル６０を回路基板９０の面に対して斜めとなるように液晶パネル５４１とコネク
タ９５とを接続するようにしてもよい。この場合において、側面視においてコネクタ９５
が配置される回路基板９０の面とケーブル６０の面とが鈍角を成すようにケーブル６０を
接続する。このようにすれば、ケーブル６０の面は、送風された空気をさらに受けやすく
なるので、効率良く、光学装置１００側に送風することができる。
【００７３】
（変形例５）上記実施形態におけるプロジェクター１は、フロントタイプのプロジェク
ター１としたが、これに限定されない。例えば、リアタイプのプロジェクターとしてもよ
い。このようにしても、上記同様の効果を得ることができる。
【００７４】
（変形例６）上記実施形態において、光学系５は、光源装置５１１に白色光を射出する
単体の光源を用い、この白色光をＲ光、Ｇ光、Ｂ光の３原色の光に分離（分光）したが、
これに限定されない。例えば、Ｒ光、Ｇ光、Ｂ光の３原色にそれぞれ対応した、赤色の光
を射出する光源、緑色の光を射出する光源および青色の光を射出する光源の３つの光源を
用い、白色光を分離する手段（色分離光学系５２）を取り除いた構成としてもよい。この
ようにしても、上記同様の効果を得ることができる。
【００７５】
（変形例７）上記実施形態において、光学系５は、３つの液晶パネル５４１Ｒ，５４１
Ｇ，５４１Ｂを用いる、いわゆる３板方式を採用しているが、これに限定されない。例え
ば、単板方式を採用してもよい。このようにしても、上記同様の効果を得ることができる
。
【００７６】
（変形例８）上記実施形態では、本発明を実施するための最良の形態で開示しているが
、本発明は、これに限定されるものではない。すなわち、本発明は、主に特定の実施形態
に関して図示し、かつ、説明しているが、本発明の技術的思想および目的の範囲から逸脱
することなく、上述した実施形態に対し、詳細な構成部材や、構成部材の形状・材質・数
量などにおいて、当業者が様々な変形（変更ならびに改良）を加えることができるもので
ある。従って、詳細な構成部材や、構成部材の形状・材質・数量などにおいて、当業者が
様々な変形を加えることにより実施する場合も本発明に含まれるものである。
【図面の簡単な説明】
【００７７】
【図１】プロジェクターの上面側から見た斜視図。
【図２】プロジェクターの下面側から見た斜視図。
【図３】プロジェクターの構成を示す要部断面図。
【図４】プロジェクターの構成を示す平面図。
【図５】プロジェクターの光学系の構成を示す平面図。
【符号の説明】
【００７８】
１…プロジェクター、４０…空気取入口、４１…第１フィルター、５５…光学素子用筐
体、５５Ｂ…下収容枠体、５５Ｃ…貫通穴、６０…可撓性基板としてのケーブル、７１…
送風手段としてのファン、７４…空気排気口、７５…第２フィルター、９０…回路基板、
９１…開口部、９５…接続部としてのコネクタ、１００…光学装置、５４１（５４１Ｒ，
５４１Ｇ，５４１Ｂ）…電気光学装置としての液晶パネル、５４３（５４３Ｒ，５４３Ｇ
，５４３Ｂ）…射出側偏光板、５４５…クロスダイクロイックプリズム。
【図１】
2010139601.tif 000003
【図２】
2010139601.tif 000004
【図３】
2010139601.tif 000005
【図４】
2010139601.tif 000006
【図５】
2010139601.tif 000007